(57)【要約】【課題】シールド部材を用いることなく、かつ、隣接する非接触型情報記録媒体どうしの干渉を抑制して非接触型情報記録媒体の検査を行う。【解決手段】  検査対象の非接触型ＩＣラベル１００ｃの偏波面に対して、非接触型ＩＣラベル１００ｃに隣接して搬送される非接触型ＩＣラベル１００ｂ，１００ｄの偏波面が約９０度異なる方向に向くように非接触型ＩＣラベル１００ａ〜１００ｅを搬送する。【選択図】図１
2005284331.tif 000002
【特許請求の範囲】
【請求項１】
非接触型情報記録媒体を連続的に順次搬送しながら、検査対象の非接触型情報記録媒体の偏波面に合わせて検査を行う非接触型情報記録媒体の検査方法であって、
検査対象の非接触型情報記録媒体の偏波面に対して、当該非接触型情報記録媒体に隣接して搬送される非接触型情報記録媒体の偏波面が約９０度異なる方向に向くように前記非接触型情報記録媒体を搬送する、非接触型情報記録媒体の検査方法。
【請求項２】
非接触型情報記録媒体を連続的に順次搬送する搬送手段と、偏波面が、検査対象の非接触型情報記録媒体の偏波面と平行になるように設けられ、前記非接触型情報記録媒体に対して電波を送受信することにより当該非接触型情報記録媒体の検査を行う検査手段とを少なくとも有してなる検査装置において、
前記搬送手段は、検査対象の非接触型情報記録媒体に隣接して搬送される非接触型情報記録媒体の偏波面が、前記検査手段における偏波面に対して約９０度異なる方向に向くように前記非接触型情報記録媒体を搬送することを特徴とする検査装置。
【請求項３】
請求項２に記載の検査装置に用いられるシートであって、
前記非接触型情報記録媒体が、当該非接触型情報記録媒体の電波の進行方向が前記搬送手段における搬送方向に対して垂直となるように連続的に貼付されたシート。
【請求項４】
非接触型情報記録媒体を連続的に順次搬送しながら、エンコード対象の非接触型情報記録媒体の偏波面に合わせて情報の書き込みを行う非接触型情報記録媒体のエンコード方法であって、
エンコード対象の非接触型情報記録媒体の偏波面に対して、当該非接触型情報記録媒体に隣接して搬送される非接触型情報記録媒体の偏波面が約９０度異なる方向に向くように前記非接触型情報記録媒体を搬送する、非接触型情報記録媒体のエンコード方法。
【請求項５】
非接触型情報記録媒体を連続的に順次搬送する搬送手段と、偏波面が、エンコード対象の非接触型情報記録媒体の偏波面と平行になるように設けられ、前記非接触型情報記録媒体に対して電波を送信することにより当該非接触型情報記録媒体に対して情報の書き込み行う書込手段とを少なくとも有してなるエンコード装置において、
前記搬送手段は、エンコード対象の非接触型情報記録媒体に隣接して搬送される非接触型情報記録媒体の偏波面が、前記書込手段における偏波面に対して約９０度異なる方向に向くように前記非接触型情報記録媒体を搬送することを特徴とするエンコード装置。
【請求項６】
請求項５に記載のエンコード装置に用いられるシートであって、
前記非接触型情報記録媒体が、当該非接触型情報記録媒体の電波の進行方向が前記搬送手段における搬送方向に対して垂直となるように連続的に貼付されたシート。
【発明の詳細な説明】
【技術分野】
【０００１】
本発明は、非接触状態にて情報の書き込み及び読み出しが可能な非接触型情報記録媒体の検査方法及びエンコード方法、検査装置及びエンコード装置、並びにこれらに用いられるシートに関し、特に、直線偏波を用いて送受信を行う非接触型情報記録媒体の検査方法及びエンコード方法、検査装置及びエンコード装置、並びにこれらに用いられるシートに関する。
【背景技術】
【０００２】
近年、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
図４は、一般的な非接触型ＩＣラベルの一構成例を示す図であり、（ａ）は上面図、（ｂ）は（ａ）に示したＡ−Ａ’断面図である。
【０００５】
本例における非接触型ＩＣラベルは図４に示すように、樹脂や紙等からなるベース基材３上に、互いに直列に並ぶように所定の間隔を有して形成された２つの帯状の導電領域２ａ，２ｂからなるアンテナ部２が形成されており、この２つの導電領域２ａ，２ｂに接続されるように、非接触状態にて情報の書き込み及び読み出しが可能なＩＣチップ１が搭載され、さらに、ベース基材３のＩＣチップ１が搭載された面と反対側の面には粘着剤４が塗布されて構成されている。
【０００６】
上記のように構成された非接触型ＩＣラベル１００においては、粘着剤４によって物品等に貼付され、外部に設けられた情報書込／読出装置（不図示）に近接させることにより、情報書込／読出装置からの電磁誘導によりアンテナ部２に電流が流れ、この電流がＩＣチップ１に供給され、それにより、非接触状態において、情報書込／読出装置からＩＣチップ１に情報が書き込まれたり、ＩＣチップ１に書き込まれた情報が情報書込／読出装置にて読み出されたりする。そのため、製品出荷時に、非接触状態にて情報の書き込み及び読み出しが可能な距離が規定の値を満たしているかどうかの検査が行われている。
【０００７】
以下に、上述した非接触型ＩＣラベル１００の検査方法について説明する。
【０００８】
図５は、図４に示した非接触型ＩＣラベル１００の従来の検査方法を説明するための図である。
【０００９】
図４に示したような非接触型ＩＣラベル１００の検査を行う場合は、図５に示すように、非接触型ＩＣラベル１００が連続シート１４０に剥離可能に貼付された状態で、この連続シート１４０を搬送系１１０によって搬送しながら、検査部１２０によって検査を行う。検査部１２０には、搬送系１１０によって搬送されてくる連続シート１４０に貼付された非接触型ＩＣラベル１００に対向するようなアンテナ１３０が設けられており、このアンテナ１３０を介して非接触型ＩＣラベル１００に検査部１２０から検査用の情報を送信し、それに対する情報を非接触型ＩＣラベル１００から読み出すことによって、非接触型ＩＣラベル１００の検査を行う。
【００１０】
ここで、上述したような検査方法においては、連続シート１４０上における非接触型ＩＣラベル１００の配置間隔が狭い場合、隣接する非接触型ＩＣラベル１００どうしで通信エリアが重複し、それにより、検査対象となる非接触型ＩＣラベル１００のみではなく、それに隣接する非接触型ＩＣラベル１００に対しても上述したような情報の送信及び読み出しが同時に行われてしまい、検査対象となる非接触型ＩＣラベル１００が不良品であるにも関わらず、良品であると判定されてしまう虞れがある。
【００１１】
そこで、開口部が形成されたシールド部材を、この開口部を介して検査対象となる非接触型ＩＣラベル１００のみがアンテナ１３０に対向するように連続シート１４０と検査部１２０との間に介在させ、それにより、検査部１２０のアンテナ１３０から送信された情報を検査対象以外の非接触型ＩＣラベル１００にて受信できなくし、検査対象の非接触型ＩＣラベルのみの検査を行う技術が考えられている（例えば、特許文献１参照。）。
【特許文献１】特開２００３−７６９４７号公報
【発明の開示】
【発明が解決しようとする課題】
【００１２】
しかしながら、上述したように開口部が形成されたシールド部材を用いて非接触型ＩＣラベル等の非接触型情報記録媒体の検査を行う場合、シールド部材を設けることにより検査装置の機構が複雑になってしまうとともにコストアップが生じてしまうという問題点がある。また、検査対象の非接触型情報記録媒体のみが開口部を介して検査部のアンテナと対向するように非接触型情報記録媒体とシールド部材との相対位置を精細に設定しなければならないという問題点がある。また、非接触型情報記録媒体とシールド部材との相対位置が正確に設定された場合においても、シールド部材にて電波が反射し、それにより、検査対象の非接触型情報記録媒体の通信エリアが変化してしまい、非接触型情報記録媒体の通信距離を正確に測定することができないという問題点がある。
【００１３】
また、図４に示したように非接触型情報記録媒体のアンテナ部がダイポールアンテナである場合、図５に示したようにアンテナ部が互いに並列になるように連続シート上に貼付されると、シールド部材を設けたとしても、アンテナ部の指向性によって、隣接する非接触型情報記録媒体どうしが干渉し合い、検査対象の非接触型情報記録媒体の通信距離を正確に測定することができなくなってしまう虞れがある。
【００１４】
本発明は、上述したような従来の技術が有する問題点に鑑みてなされたものであって、シールド部材を用いることなく、かつ、隣接する非接触型情報記録媒体どうしの干渉を抑制して非接触型情報記録媒体の検査を行うことができる非接触型情報記録媒体の検査方法、検査装置及びこれに用いられるシートを提供することを目的とする。
【００１５】
また、シールド部材を用いることなく、かつ、隣接する非接触型情報記録媒体どうしの干渉を抑制して非接触型情報記録媒体に対する情報の書き込みを行うことができる非接触情報記録媒体のエンコード方法、エンコード装置及びこれに用いられるシートを提供することを目的とする。
【課題を解決するための手段】
【００１６】
上記目的を達成するために本発明は、
非接触型情報記録媒体を連続的に順次搬送しながら、検査対象の非接触型情報記録媒体の偏波面に合わせて検査を行う非接触型情報記録媒体の検査方法であって、
検査対象の非接触型情報記録媒体の偏波面に対して、当該非接触型情報記録媒体に隣接して搬送される非接触型情報記録媒体の偏波面が約９０度異なる方向に向くように前記非接触型情報記録媒体を搬送する。
【００１７】
また、非接触型情報記録媒体を連続的に順次搬送する搬送手段と、偏波面が、検査対象の非接触型情報記録媒体の偏波面と平行になるように設けられ、前記非接触型情報記録媒体に対して電波を送受信することにより当該非接触型情報記録媒体の検査を行う検査手段とを少なくとも有してなる検査装置において、
前記搬送手段は、検査対象の非接触型情報記録媒体に隣接して搬送される非接触型情報記録媒体の偏波面が、前記検査手段における偏波面に対して約９０度異なる方向に向くように前記非接触型情報記録媒体を搬送することを特徴とする。
【００１８】
また、前記検査装置に用いられるシートであって、
前記非接触型情報記録媒体が、当該非接触型情報記録媒体の電波の進行方向が前記搬送手段における搬送方向に対して垂直となるように連続的に貼付されている。
【００１９】
また、非接触型情報記録媒体を連続的に順次搬送しながら、エンコード対象の非接触型情報記録媒体の偏波面に合わせて情報の書き込みを行う非接触型情報記録媒体のエンコード方法であって、
エンコード対象の非接触型情報記録媒体の偏波面に対して、当該非接触型情報記録媒体に隣接して搬送される非接触型情報記録媒体の偏波面が約９０度異なる方向に向くように前記非接触型情報記録媒体を搬送する。
【００２０】
また、非接触型情報記録媒体を連続的に順次搬送する搬送手段と、偏波面が、エンコード対象の非接触型情報記録媒体の偏波面と平行になるように設けられ、前記非接触型情報記録媒体に対して電波を送信することにより当該非接触型情報記録媒体に対して情報の書き込み行う書込手段とを少なくとも有してなるエンコード装置において、
前記搬送手段は、エンコード対象の非接触型情報記録媒体に隣接して搬送される非接触型情報記録媒体の偏波面が、前記書込手段における偏波面に対して約９０度異なる方向に向くように前記非接触型情報記録媒体を搬送することを特徴とする。
【００２１】
また、前記エンコード装置に用いられるシートであって、
前記非接触型情報記録媒体が、当該非接触型情報記録媒体の電波の進行方向が前記搬送手段における搬送方向に対して垂直となるように連続的に貼付されている。
【００２２】
上記のように構成された本発明においては、非接触型情報記録媒体が連続的に順次搬送され、検査対象の非接触型情報記録媒体の検査が行われる。この際、検査対象の非接触型情報記録媒体の偏波面に対して平行な偏波面を有する電波を用いて検査を行うことになるが、検査対象の非接触型情報記録媒体に隣接して搬送される非接触型情報記録媒体においては、その偏波面が、検査対象の非接触型情報記録媒体の偏波面に対して約９０度異なる方向に向くように搬送される。このため、検査対象の非接触型情報記録媒体の偏波面は、検査のための電波の偏波面に対して約９０度異なる方向を向くことになり、検査対象の非接触型情報記録媒体に隣接して搬送される非接触型情報記録媒体においては、検査のための電波が受信できない状態となる。また、検査対象となる非接触型情報記録媒体の偏波面と、検査対象の非接触型情報記録媒体に隣接して搬送される非接触型情報記録媒体の偏波面とが互いに約９０度異なる方向を向いていることにより、検査対象となる非接触型情報記録媒体と、検査対象の非接触型情報記録媒体に隣接して搬送される非接触型情報記録媒体とが互いに干渉し合うことがなくなる。
【００２３】
これにより、シールド部材を用いることなく、かつ、隣接する非接触型情報記録媒体どうしの干渉を抑制して非接触型情報記録媒体の検査を行うことができるようになる。
【００２４】
また、非接触型情報記録媒体が連続的に順次搬送され、エンコード対象の非接触型情報記録媒体に対する情報の書き込みが行われる場合は、エンコード対象の非接触型情報記録媒体の偏波面に対して平行な偏波面を有する電波を用いて情報の書き込みを行うことになるが、エンコード対象の非接触型情報記録媒体に隣接して搬送される非接触型情報記録媒体においては、その偏波面が、エンコード対象の非接触型情報記録媒体の偏波面に対して約９０度異なる方向に向くように搬送される。このため、エンコード対象の非接触型情報記録媒体の偏波面は、情報の書き込みのための電波の偏波面に対して約９０度異なる方向を向くことになり、エンコード対象の非接触型情報記録媒体に隣接して搬送される非接触型情報記録媒体においては、情報の書き込みのための電波が受信できない状態となる。また、エンコード対象となる非接触型情報記録媒体の偏波面と、エンコード対象の非接触型情報記録媒体に隣接して搬送される非接触型情報記録媒体の偏波面とが互いに約９０度異なる方向を向いていることにより、エンコード対象となる非接触型情報記録媒体と、エンコード対象の非接触型情報記録媒体に隣接して搬送される非接触型情報記録媒体とが互いに干渉し合うことがなくなる。
【００２５】
これにより、シールド部材を用いることなく、かつ、隣接する非接触型情報記録媒体どうしの干渉を抑制して非接触型情報記録媒体に対する情報の書き込みを行うことができるようになる。
【発明の効果】
【００２６】
以上説明したように本発明においては、検査対象の非接触型情報記録媒体の偏波面に対して、当該非接触型情報記録媒体に隣接して搬送される非接触型情報記録媒体の偏波面が約９０度異なる方向に向くように非接触型情報記録媒体を搬送しながら非接触型情報記録媒体の検査を行うため、シールド部材を用いることなく、かつ、隣接する非接触型情報記録媒体どうしの干渉を抑制して非接触型情報記録媒体の検査を行うことができる。
【００２７】
また、エンコード対象の非接触型情報記録媒体の偏波面に対して、当該非接触型情報記録媒体に隣接して搬送される非接触型情報記録媒体の偏波面が約９０度異なる方向に向くように非接触型情報記録媒体を搬送しながら非接触型情報記録媒体に対する情報の書き込みを行うため、シールド部材を用いることなく、かつ、隣接する非接触型情報記録媒体どうしの干渉を抑制して非接触型情報記録媒体に対する書き込みを行うことができる。
【発明を実施するための最良の形態】
【００２８】
以下に、本発明の実施の形態について図面を参照して説明する。
【００２９】
図１は、本発明の検査装置の実施の一形態を示す図である。
【００３０】
本形態は図１に示すように、検査対象となる非接触型情報記録媒体である非接触型ＩＣラベル１００ａ〜１００ｅが連続的に貼付されてなる連続シート４０を搬送する搬送系１０と、搬送系１０によって搬送されてくる連続シート４０に貼付された非接触型ＩＣラベル１００ａ〜１００ｅに対して検査用の情報を送信し、それに対する情報を非接触型ＩＣラベル１００ａ〜１００ｅから読み出すことにより非接触型ＩＣラベル１００ａ〜１００ｅの検査を行う検査部２０とから構成されており、検査部２０には、非接触型ＩＣラベル１００ａ〜１００ｅに対して電波を送受信するためのアンテナ３０が設けられている。なお、本形態にて検査される非接触型ＩＣラベル１００ａ〜１００ｅの構成は、図４に示したものと同一であり、その数は、図示したように５つに限らない。また、本形態においては、非接触型ＩＣラベル１００ａ〜１００ｅが、アンテナ部２の長手方向がその搬送方向となるように連続シート４０に貼付され、搬送系１０によって搬送される。また、搬送系１０においては、図１に示すように非接触型ＩＣラベル１００ｃが検査対象となる場合、連続シート４０に貼付されて搬送される非接触型ＩＣラベル１００ａ〜１００ｅのうち、検査対象となる非接触型ＩＣラベル１００ｃが検査部２０のアンテナ３０と対向し、かつ、検査対象となる非接触型ＩＣラベル１００ｃに隣接する非接触型ＩＣラベル１００ｂ，１００ｄが検査部２０のアンテナ３０に対して垂直となるように連続シート４０が折り曲げられて搬送される。
【００３１】
ここで、検査部２０のアンテナ３０及び非接触型ＩＣラベル１００ａ〜１００ｅのアンテナ部２の偏波面について説明する。
【００３２】
図２は、図１に示した検査部２０のアンテナ３０及び非接触型ＩＣラベル１００ａ〜１００ｅのアンテナ部２の偏波面について説明するための図である。
【００３３】
図１に示した検査部２０のアンテナ３０及び非接触型ＩＣラベル１００ａ〜１００ｅのアンテナ部２は、図２に示すような棒状の導体５からなるダイポールアンテナを構成しており、直線偏波を用いて送受信を行う。このように直線偏波を用いて送受信を行う導体においては、電波が直線的に進行し、導体間においてその偏波面が互いに平行となる場合に通信可能な距離が最大となり、偏波面を平行な状態から垂直な状態にずらしていくに従って通信可能な距離が徐々に短くなり、偏波面が互いに９０度異なる方向となった場合に通信が不可能な状態となる。
【００３４】
また、本形態における連続シート４０は、非接触型ＩＣラベル１００ａ〜１００ｅが、アンテナ部２の長手方向が搬送方向となるように貼付されているため、これにより、非接触型ＩＣラベル１００ａ〜１００ｅのアンテナ部２の電波の進行方向が、搬送系１０による連続シート４０の搬送方向に対して垂直となっている。
【００３５】
以下に、上述した検査装置における非接触型ＩＣラベル１００ａ〜１００ｅの検査方法について、非接触型ＩＣラベル１００ａ〜１００ｅが連続シート４０の貼付されて搬送されてきて図１に示した状態となった場合の検査方法を例に挙げて説明する。
【００３６】
図３は、図１に示した検査装置における非接触型ＩＣラベル１００ａ〜１００ｅの検査方法を説明するための図である。
【００３７】
図１に示したような状態においては、検査部２０のアンテナ３０と対向する非接触型ＩＣラベル１００ｃが検査対象の非接触型ＩＣラベルとなる。
【００３８】
図３（ａ）に示すように、検査部２０のアンテナ３０と対向して検査対象となる非接触型ＩＣラベル１００ｃのアンテナ部２の偏波面は、検査部２０のアンテナ３０の偏波面と平行となり、それにより、非接触型ＩＣラベル１００ｃのアンテナ部２と検査部２０のアンテナ３０との間における通信可能な距離が最大となる。
【００３９】
一方、図３（ｂ）に示すように、検査対象となる非接触型ＩＣラベル１００ｃに隣接して搬送されてくる非接触型ＩＣラベル１００ｂ，１００ｄのアンテナ部２の偏波面は、検査部２０のアンテナ３０の偏波面に対して垂直となり、それにより、非接触型ＩＣラベル１００ｂ，１００ｄのアンテナ部２と検査部２０のアンテナ３０との間においては通信が不可能な状態となる。
【００４０】
これにより、検査部２０においては、検査対象となる非接触型ＩＣラベル１００ｃのみとの間にて通信可能な状態となり、検査部２０から送信された検査用の情報が、検査対象となる非接触型ＩＣラベル１００ｃのみにて受信され、それに対する情報が非接触型ＩＣラベル１００ｃから読み出されることによって、非接触型ＩＣラベル１００ｃの検査が行われることになる。
【００４１】
また、図３（ｃ）に示すように、検査対象となる非接触型ＩＣラベル１００ｃの偏波面と、非接触型ＩＣラベル１００ｃに隣接して搬送される非接触型ＩＣラベル１００ｂ，１００ｄの偏波面とは、互いに垂直となり、それにより、非接触型ＩＣラベル１００ｃと非接触型ＩＣラベル１００ｂ，１００ｄとが干渉し合うことがなくなる。
【００４２】
このように、本形態においては、搬送系１０において、連続シート４０上に貼付されて搬送される非接触型ＩＣラベル１００ａ〜１００ｅのうち、検査部２０にて検査対象となる非接触型ＩＣラベル１００ｃの偏波面が、検査部２０のアンテナ３０の偏波面と平行になるように、かつ、検査対象となる非接触型ＩＣラベル１００ｃに隣接して搬送される非接触型ＩＣラベル１００ｂ，１００ｄの偏波面が、検査対象となる非接触型ＩＣラベル１００ｃ及び検査部２０のアンテナ３０の偏波面に対して垂直となるように、非接触型ＩＣラベル１００ａ〜１００ｅが連続シート４０に貼付されて搬送されてくるので、シールド部材を用いることなく、かつ、隣接する非接触型ＩＣラベル１００ｂ，１００ｄとの干渉を抑制して、検査対象となる非接触型ＩＣラベル１００ｃの検査を行うことができる。
【００４３】
また、本形態においては、非接触型ＩＣラベル１００ａ〜１００ｅが、アンテナ部２の長手方向が搬送方向となるように連続シート４０に貼付されている。ここで、非接触型ＩＣラベル１００ａ〜１００ｅに印字を行う場合、ＩＣチップ１０が搭載された領域に印字ヘッドが当接すると、ＩＣチップ１０が破損してしまう虞れがある。そこで、上述したように、非接触型ＩＣラベル１００ａ〜１００ｅを、アンテナ部２の長手方向が搬送方向となるように連続シート４０に貼付すれば、非接触型ＩＣラベル１００ａ〜１００ｅの搬送方向の長さが長くなり、それにより、非接触型ＩＣラベル１００ａ〜１００ｅに情報を印字しながらも、ＩＣチップ１０が搭載された領域だけ印字ヘッドを非接触型ＩＣラベル１００ａ〜１００ｅから浮かせることができ、ＩＣチップ１０の破損を防ぐことができる。
【００４４】
なお、本形態においては、搬送系１０において、連続シート４０に貼付されて搬送される非接触型ＩＣラベル１００ａ〜１００ｅのうち、検査対象となる非接触型ＩＣラベル１００ｃが検査部２０のアンテナ３０と対向し、かつ、検査対象となる非接触型ＩＣラベル１００ｃに隣接する非接触型ＩＣラベル１００ｂ，１００ｄが検査部２０のアンテナ３０に対して垂直となるように連続シート４０が折り曲げられて搬送されることにより、検査部２０にて検査対象となる非接触型ＩＣラベル１００ｃの偏波面が、検査部２０のアンテナ３０の偏波面と平行になり、かつ、検査対象となる非接触型ＩＣラベル１００ｃに隣接して搬送される非接触型ＩＣラベル１００ｂ，１００ｄの偏波面が、検査対象となる非接触型ＩＣラベル１００ｃ及び検査部２０のアンテナ３０の偏波面に対して垂直となっているが、検査対象となる非接触型ＩＣラベル１００ｃに隣接して搬送される非接触型ＩＣラベル１００ｂ，１００ｄの偏波面と、検査対象となる非接触型ＩＣラベル１００ｃ及び検査部２０のアンテナ３０の偏波面との角度については垂直に限定しない。上述したように、検査部２０のアンテナ３０や非接触型ＩＣラベル１００ａ〜１００ｅのアンテナ部２のように、棒状の導体からなり、直線偏波を用いて送受信を行う導体間においては、偏波面が互いに平行となる場合に通信可能な距離が最大となり、偏波面を平行から垂直な状態にしていくに従って通信可能な距離が徐々に短くなる。そのため、検査対象となる非接触型ＩＣラベル１００ｃに隣接して搬送される非接触型ＩＣラベル１００ｂ，１００ｄの偏波面が、検査対象となる非接触型ＩＣラベル１００ｃ及び検査部２０のアンテナ３０の偏波面に対して垂直でない場合であっても、検査対象となる非接触型ＩＣラベル１００ｃのみに対する検査を行うことができる。例えば、２つの導体の偏波面どうしの角度が４５度ずれた場合、一方の導体から送信された信号の他方の導体における受信レベルは、互いに平行である場合に対して３０％低下する。そのため、検査対象となる非接触型ＩＣラベル１００ｃに隣接して搬送される非接触型ＩＣラベル１００ｂ，１００ｄの偏波面が、検査対象となる非接触型ＩＣラベル１００ｃ及び検査部２０のアンテナ３０の偏波面に対して４５度〜１３５度ずれるように搬送系１０にて非接触型ＩＣラベル１００ａ〜１００ｅを搬送するように構成すれば、検査部２０から送信された検査用の情報の非接触型ＩＣラベル１００ｂ，１００ｄにおける受信レベルが、３０％以上低下することになり、さらに、検査部２０におけるこれに対する情報の読み出しレベルも３０％以上低下することになり、実質的に、検査対象となる非接触型ＩＣラベル１００ｃのみに対する検査を行うことができる。このように、検査対象となる非接触型ＩＣラベル１００ｃに隣接して搬送される非接触型ＩＣラベル１００ｂ，１００ｄの偏波面と、検査対象となる非接触型ＩＣラベル１００ｃ及び検査部２０のアンテナ３０の偏波面との相対角度は、４５度〜１３５度が実用的な範囲であり、好ましくは８０度〜１００度であり、本形態のように９０度が最も好ましい。
【００４５】
また、本形態においては、非接触型情報記録媒体として、非接触型ＩＣラベル１００ａ〜１００ｅを例に挙げて説明したが、本発明は、直線偏波を用いて送受信を行う非接触型情報記録媒体であれば、この他に、非接触型ＩＣタグや非接触型ＩＣカード等も適用することができる。なお、この場合においても、非接触型ＩＣタグや非接触型ＩＣカードは、連続シート４０に貼付された搬送系１０によって搬送されることになる。
【００４６】
また、本形態においては、連続シート４０に貼付された非接触型ＩＣラベル１００ａ〜１００ｅの検査を行う検査装置について説明したが、上述したような構成の検査部２０の代わりに、連続シート４０に貼付されて搬送系１０によって搬送されてくる非接触型ＩＣラベル１００ａ〜１００ｅに対して情報の書き込みを行う書込部を設けたエンコード装置においても、上記同様な作用により、シールド部材を用いることなく、かつ、隣接する非接触型ＩＣラベル１００ｂ，１００ｄとの干渉を抑制して、情報の書き込み対象となる非接触型ＩＣラベル１００ｃのみに対して情報の書き込みを行うことができる。
【図面の簡単な説明】
【００４７】
【図１】本発明の検査装置の実施の一形態を示す図である。
【図２】図１に示した検査部のアンテナ及び非接触型ＩＣラベルのアンテナ部の偏波面について説明するための図である。
【図３】図１に示した検査装置における非接触型ＩＣラベルの検査方法を説明するための図である。
【図４】一般的な非接触型ＩＣラベルの一構成例を示す図であり、（ａ）は上面図、（ｂ）は（ａ）に示したＡ−Ａ’断面図である。
【図５】図４に示した非接触型ＩＣラベルの従来の検査方法を説明するための図である。
【符号の説明】
【００４８】
１    ＩＣチップ
２    アンテナ部
１０    搬送系
２０    検査部
３０    アンテナ
４０    連続シート
１００ａ〜１００ｄ    非接触型ＩＣラベル
【図１】
2005284331.tif 000003
【図２】
2005284331.tif 000004
【図３】
2005284331.tif 000005
【図４】
2005284331.tif 000006
【図５】
2005284331.tif 000007